Podtech/llm-jp-corpus-v4-ja_patent huggingface dataset:
(57)【要約】【課題】  電気掃除機の吸込具に紙や布が吸い付くことによる空気の流入の遮断を防止する電気掃除機用吸入具を提供する。【解決手段】  球殻（１）に多数の穴（２）を開けたものと、テーパー型の筒（３）を接合し、球殻と筒の間で空気の流通ができるような形状をした吸入具であり、電気掃除機のホースの先端に差し込んで使用する。【選択図】図１
2010274074.tif 000002
【特許請求の範囲】
【請求項１】
球殻の殻壁に多数の穴を開けたものと筒を接合し、球殻と筒の間で空気の流通ができるような形状をした電気掃除機用吸入具。
【発明の詳細な説明】
【技術分野】
【０００１】  本発明は、電気掃除機の吸入用ホースの先端に取り付ける吸入具に関するものである。
【背景技術】
【０００２】  従来、電気掃除機の吸入用ホースの先端に取り付ける吸入具には１つの穴しか開いていなかった。
【発明の開示】
【発明が解決しようとする課題】
【０００３】  これは、次のような欠点があった。紙や布についた埃を吸い込むときに、紙や布が吸入口を塞ぐため掃除機に異常音が発生し、掃除機に過大な負荷をかけることがあった。【０００４】  また、机の上にある鉛筆や消しゴムのそばにある消しゴムの屑等を吸入するときに、吸入口が大きいため、鉛筆や消しゴム等も吸入してしまうことがあった。【０００５】  また、障子やガラス戸の桟、本箱の棚等の埃を吸入するときに吸入口の角度を調整することが難しかった。
【課題を解決するための手段】
【０００６】  上記課題を解決するために、本発明による吸入具は、球殻（１）の殻壁に多数の小さな穴（２）を開け、殻壁の一部を切り取り、電気掃除機のホースに差し込むための筒（３）に接合したものである。
【発明の効果】
【０００７】  本発明の吸入具によれば、紙や布の表面に付着した埃を吸入する場合、紙や布に接触していない穴から空気が流入するため、紙や布が空気の掃除機への流入を遮断することなく、紙や布に付いた埃を電気掃除機が吸入することができる。特に、衣服に付いたフケや埃を除去する場合には効果が大きい。【０００８】  また、机の上にある鉛筆や消しゴムの間にある消しゴムの屑や埃を吸入するときにも、本発明の吸入具の穴の大きさより大きい鉛筆や消しゴムは吸入せず、消しゴムの屑や埃だけを吸入することができる。【０００９】  また、障子やガラス戸の桟、本箱の棚、ソファーや自動車のシート等の埃を吸入するときにも、吸入具が球形であるため、吸入具とガラス戸の桟等との角度が自由に調整できるので掃除がしやすくなる。
【発明を実施するための最良の形態】
【００１０】  以下、本発明を実施するための最良の形態について説明する。【００１１】  合成樹脂でできた外径４〜５ｃｍ位の球殻（１）の殻壁の一部を、直径３ｃｍ位の円形に切り取る。【００１２】  球殻（１）に、直径５ｍｍ位の穴（２）を１５個位開ける。【００１３】  球殻（１）の殻壁の一部を切り取ったところに、テーパー型で細い方の外径が掃除機のホースに差し込める大きさの筒（３）の太い方を結合する。【００１４】  本発明の吸入具（４）は、以上のような構造である。【００１５】  本発明の吸入具（４）を電気掃除機（５）のホースの先端に差し込み、球殻（１）の穴（２）より小さなゴミや埃を吸入する。
【図面の簡単な説明】
【００１６】
【図１】  本発明の吸入具の斜視図
【図２】  本発明の吸入具の断面図
【図３】  本発明の吸入具を電気掃除機に取り付けたときの実施例を示す図
【符号の説明】
【００１７】１  球殻
２  穴
３  筒
４  本発明である電気掃除機用球形吸入具
５  電気掃除機
【図１】
2010274074.tif 000003
【図２】
2010274074.tif 000004
【図３】
2010274074.tif 000005
(57)【要約】【課題】    従来の磁石内蔵マットは固定磁石で磁場方向は一定であるが本発明の磁石は球体で回転するように磁石を回転構造設計とし本体マットはいろいろな椅子の背もたれに合うようにいかに柔軟性を保つかが課題である。【解決手段】    本発明は磁石を回転するため球体磁石を利用し球体磁石の円カーブと中心支点で支える穴との構造としいろいろな椅子の背もたれに合うように柔軟性をたもつように球体磁石器は個々に独立して取付けマットのクッションの素材も前面と底面クッションの硬さの違う二重構造にし課題を解決した。【選択図】図１
2010274078.tif 000002
【特許請求の範囲】
【請求項１】
球体磁石を利用した回転構造球体磁石器を複数内蔵した座席、椅子よう取り外し出来るマット。
【発明の詳細な説明】
【技術分野】
【０００１】  本発明は球体回転磁石内蔵マットに関する。
【背景技術】
【０００２】  従来の磁石内蔵マットは固定磁石で磁場方向は一定であるが本発明の磁石は使用によって磁石が回転し磁場方向が変わる、球体の磁石回転器内蔵のものはない。
【発明の開示】
【発明が解決しようとする課題】
【０００３】  球体磁石の回転構造といろいろな形の椅子やソファーの背もたれの形に合うように柔軟性のある構造にする課題。
【課題を解決するための手段】
【０００４】  球体磁石器は磁石が回転できるように磁石円カーブと中心支点でささえる構造にし本体材料は吸着しない樹脂材を用い加工製造する。【０００５】  背もたれの多種形状に合うよう柔軟性を出すために複数の球体磁石器は個々に独立して取り付ける。【０００６】  柔軟性をたもつためにクッション材を前面クッションと底面クッションの硬さをかえた二重構造とする表面カバーも柔軟性のある素材を使用する。
【発明の効果】
【０００７】  本発明の磁気効果として生体と磁気の関係に血液が深く関与している、人体は内蔵や筋肉組織のみ成り立つものではなくまた、血液のはたらきは酸素や養分の補給にとどまるものでもない、血液なくして生命はありえない、血液こそ生命の根幹であり、その活動の乱れはさまざまな病気のもとになる、その血液の流れ循環を促進する効果がある、また発明に利用する磁石は強力な磁気エネルギーをもつ「希土類磁石」の球体を使用し接触面の移動による磁石の回転機構をもち人体接触面を回転すことにより磁場方向を変え（血液成分の中にある、プラスイオンとマイナスイオンに電解するものが含まれている）これが血管中を流れるということは、電流が流れるのに等しい、ここに磁石によって磁場を加えると、「フレミングの左手の法則」により力が発生する、この力がイオンの流れを活発にし、血液の流れをよくすると考えられ背中や腰のうっ血を和らげる効果がある。
【発明を実施するための最良の形態】
【実施例】
【０００８】  本発明製品の施行を図面に従い行う、本製品はネオジム磁石で磁束密度が高く球体で回転による磁場の移動方向に変化が出来最適である、（図１）は球体磁石マット外観図で１磁石マット本体２椅子の背もたれなどに固定するベルトで３球体磁石器に取り付けた４球体磁石で（図２）は球体磁気マット側面図２−１は２マット取付けベルト固定用マジックテープ、
（３図）は球体磁石マットカット内部断面図で初めに３球体磁石器の組立てについて説明しますと３−３球体磁石器内側カーブ部を４球体磁石の円カーブに合わせ加工した樹脂材ケースに４球体磁石を投入し３−１球体磁石固定台の３−２取付けネジで４球体磁石が回転できるようなゆるさで固定することで３−３球体磁石内側カーブ部と３−４球体磁石中心支点穴でスムーズ回転することが出来る、次に３−５球体磁石抜け止めベニヤ板を３−６タッピングビスで取り付け３球体磁石器が完成する。
マットが多種形状の背もたれに合うよう柔軟性を重視し（図１）のように３球体磁石器を個々に独立して配置し５前面クッション材をスポンジ系として３球体磁石器の配置に合わせた場所に３球体磁石器の本体直径に合う穴を開け下から３球体磁石器を差し込む次に６底面クッション材は前面とは違い硬い素材と柔らかい素材の混合クッションを使用し少しこしをもたせたクッション部の二重こうぞうとする。
仕上げとして１−１マット表面カバーも柔軟性のあるレザー素材で包み加工する、マットの椅子固定用として同じ素材のレザーで２マット取付けベルト（マジックテープ付）を作成して完了する。
【図面の簡単な説明】
【０００９】
【図１】球体磁石器付健康マット正面図
【図２】球体磁石気付健康マット側面図
【図３】球体磁石器マットカット内部断面図
【図４】自動車座席取付けマット利用図
【図５】取り外し式特注椅子専用マット利用図
【図６】一般椅子取付けマット利用図
【図７】座椅子取付けマット利用図
【符号の説明】
【００１０】１  球体磁石マット本体
１−１マット表面レザーカバー
２  マット固定取付けベルト
２−１ベルト固定マジックテープ
３  球体回転磁石器
３−１球体磁石固定台
３−２（３−１）取付けネジ
３−３球体磁石内側カーブ部
３−４球体磁石中心支点穴
３−５球体磁石抜け止め板
３−６（３−５）固定用ビス
４  球体磁石
５  前面クッション材
６  底面クッション材
【図１】
2010274078.tif 000003
【図２】
2010274078.tif 000004
【図３】
2010274078.tif 000005
【図４】
2010274078.tif 000006
【図５】
2010274078.tif 000007
【図６】
2010274078.tif 000008
【図７】
2010274078.tif 000009
(57)【要約】【課題】調理油過熱防止付きガスこんろで安全、確実にフライパンを使用する事を可能にする。【解決手段】フライパン淵把手反対側に着脱可能な重りを設置する。【選択図】図５
2010274071.tif 000002
【特許請求の範囲】
【請求項１】
フライパン淵把手反対側にウエイトを装着し、重量バランスの均整を図りフライパン姿勢を保持する姿勢保持装置。
【発明の詳細な説明】
【技術分野】
【０００１】本発明は、調理油過熱防止装置付きガスこんろでのフライパン使用時の姿勢保持装置と、その具体的製造方法に属する。
【背景】
【０００２】  平成２０年８月１日公布、平成２０年１０月１日施行のガスこんろに対する新法令により全口のこんろバーナーに調理油過熱防止装置の搭載が義務付けられた。（ガス事業法第３９条の１０第１項及び液石法第４６条第１項）
【発明の開示】
【発明が解決しようとする課題】
【０００３】  図１に於いて示す調理油過熱防止装置はこんろ中央に設置された温度センサー１をバネテンションで鍋やフライパン底に密着させ、温度が約２５０℃になると自動的に消化し油の発火を防ぐ装置である。
この調理油過熱防止装置は温度センサー１をバネ圧力で密着させる機構上、使用する調理器重量は約３００ｇ以上と設定されている。しかしながら一般で使用される小径フライパンは３００ｇ以下のものがあったり、３００ｇ以上のものであってもフライパン２に対し把手３比重の大きなものは図２に於いて示す様に温度センサー１を支点にバランスを失い、ガスこんろに対し平行に設置する事ができない。【０００４】  本発明は、フライパン淵に重りを設置する事でフライパン把手重量との均整を図り姿勢保持を得て調理油過熱防止装置付きガスこんろの使用に適する事を目的としている。
【課題を解決する為の手段】
【０００５】  上記目的を達成する為に、中心部に円弧状差込溝を設けた鋳造鋳物等による重りをフライパン淵把手反対側位置に設置する。（図５参照）
【０００６】  この重り差し込み溝には必要に応じ板バネ等による仮固定具を設け、調理時の外れを防止する。
【発明の効果】
【０００７】  本発明は、以上説明したように構成されているので、以下に記載されるような効果を奏する。
【０００８】  小径軽量なフライパンを安全に調理油過熱防止装置付きガスこんろで使用できる。（図７参照）
【０００９】  把手重量の高いフライパンを安全に調理油過熱防止装置付きガスこんろで使用できる。（図７参照）
【発明を実施するための最良の形態】
【００１０】  図３に於いて示される装置本体４は、金属鋳造にて製造、叉は樹脂匡体内部に金属鋳造重りを有しそれ自体が重りとなる。【００１１】  図４に於いて示される差込溝５に、図５で示す様にフライパン淵８を差込み使用する。【００１２】  瞬時の着脱が可能且つ一定の固定を有する様、図６に於いて示される断面図の様に、固定スプリング６と固定支点７を差込溝５内に設定する。
【図面の簡単な説明】
【００１３】
【図１】使用場所説明図である。
【図２】現状説明図である。
【図３】全体図である。
【図４】全体底面図である。
【図５】使用方法説明図である。
【図６】断面図である。
【図７】本発明実施効果図である。
【符号の説明】
【００１４】１  温度センサー
２  フライパン
３  把手
４  装置本体
５  差込溝
６  固定スプリング
７  固定支点
８  フライパン淵
【図１】
2010274071.tif 000003
【図２】
2010274071.tif 000004
【図３】
2010274071.tif 000005
【図４】
2010274071.tif 000006
【図５】
2010274071.tif 000007
【図６】
2010274071.tif 000008
【図７】
2010274071.tif 000009
(57)【要約】      （修正有）【課題】車椅子から立ち上がるとき、座面が水平のために高齢者は膝、腰に負担がかかり苦痛であった問題点を解決する車椅子高低可変スタンドを提供する。【解決手段】固定管２、スタンド１がそれぞれの軸３を介し一体構造とし、この固定管に軸とバネ５を介し、上下開閉するスタンドを左右に設け車椅子ティッピングレバーに、上下開閉する高低可変スタンドを装着することにより車椅子座面が前方に傾斜保持できる車椅子高低可変スタンドとする。【選択図】図１
2010274080.tif 000002
【特許請求の範囲】
【請求項１】
固定管に軸とバネを介し、上下開閉するスタンドを左右に設けたことを特徴とする車椅子高低可変スタンド。
【発明の詳細な説明】
【技術分野】
【０００１】本発明は、車椅子下部フレームティッピングレーバーに上下開閉するスタンドを設けた車椅子に関するものである。
【背景技術】
【０００２】従来、車椅子座面を傾斜できる装置の車椅子はなかった。
【発明の開示】
【発明が解決しょうとする課題】
【０００３】そのために、次のような問題点があった。
（イ）車椅子から立ち上がるとき、座面が水平のために高齢者は膝、腰に負担がかかり苦痛であった。
本発明は、これらの問題点を解決するためになされたものである。
【課題を解決するための手段】
【０００４】（イ）固定管（２）、スタンド（１）がそれぞれの軸（３）を介し一体構造となる。
（ロ）スタンド（１）の長さの調節は、伸縮脚（４）で調節する。
（ハ）スタンドを確実に開閉させる引きバネ（５）を固定管と、スタンドに設ける。
（ニ）ティッピングレーバーに固定管（２）を差し込み固定ネジ（６）で固定する。
（ホ）伸縮脚（４）は、ネジ式でも良い。
以上を特徴とする車椅子高低可変スタンドである。
【発明の効果】
【０００５】本装置の使用により、車椅子後部が上がり座面に傾斜ができることにより車椅子からの立ち上がるとき膝、腰に負担が少なくなり高齢者又、介護者に負担が少なくなる
【発明を実施するための最良の形態】
【０００６】以下、本発明の実施の形態について説明する。
（イ）固定管（２）、スタンド（１）それぞれに軸（３）を設け一体構造とする。
（ロ）スタンド（１）に高低調節用伸縮脚（４）を設ける。
（ハ）スタンドを確実に開閉機能させる引きバネ（５）を固定管とスタンドの一部に設ける。
本発明は、以上のような構成で、これを使用するときは、固定管を車椅子フレームティッピングレーバーに差し込み固定ネジ（６）で固定し、伸縮脚（４）で高さを調整、調整固定ネジ（９）で固定する。
スタンドを下方に開、足を足掛け（８）に乗せ体重をかけ車椅子を手前に引くことによりスタンドが図（４）に示すように移動すると同時に車椅子の後部が上がり座面が傾斜を保持でき車椅子からの立ち上がりが楽になる。車椅子の高さを元に戻すときは、車椅子を前方に押すだけでスタンドが閉じる。足掛けを上に蹴上げると引きバネの作用により図（３）に示すように折り畳む事できる。通常の車椅子の使用に問題はない。固定管をティッピングレバーに装着するだけで殆どの車椅子に利用できる。
【実施例１】
【０００７】図（４）に示すように、足掛け（８）を踏み込む事により車椅子後部が上がり座面が前方に傾斜を保持でき車椅子からの立ち上がるとき膝、腰の負担が少なくなる。介護者も体の負担が少なくなる。
【図面の簡単な説明】
【０００８】
【図１】本発明のスタンドが開いた状態を示す側面図
【図２】本発明のスタンドが閉じた状態を示す側面図
【図３】本発明のスタンドが上方に折り畳んだ状態を示す側面図
【図４】本発明を車椅子ティッピングレバーに装着しスタンドが閉じ、車椅子の後部が上がり座面が前方に傾斜した状態を示す側面図
【符号の説明】
【０００９】  １  スタンド
２  固定管
３  軸
４  伸縮足
５  引きバネ
６  固定ネジ
７  地板
８  足掛け
９  調整固定ネジ
１０  ストッパー
【図１】
2010274080.tif 000003
【図２】
2010274080.tif 000004
【図３】
2010274080.tif 000005
【図４】
2010274080.tif 000006
(57)【要約】【課題】スロットマシン機の配当率を簡単且つ、安価に実行出来るようにする事。【解決手段】スロットマシンの動作上の各種信号を利用して配当率を簡単且つ安価に変更する【選択図】図１
2010274075.tif 000002
【特許請求の範囲】
【請求項１】
信号収集部５と信号発生部６とを備えた配当率可変装置４により、スロットマシン機１の有する集中端子基板２より、スロットマシン機１の稼動状態を表す各種電気信号を取り出して、その電気信号を信号収集部５で集計し、その集計値が任意に設定した数値に達すると、その信号収集部５より所定信号を信号発生部６に送出し、その信号発生部６より、スロットマシン機１のコイン受入部３に、加算の信号あるいは、減算の信号を送出する事によりスロットマシン機１の配当率を変更する事を特徴とする。
【発明の詳細な説明】
【技術分野】
【０００１】  本発明は、パチンコ店より排出されたスロットマシンをアミューズメント施設等で遊戯機として使用する為に、スロットマシン本来の配当率を変更したスロットマシンに関する。
【背景技術】
【０００２】  従来は、アミューズメント施設等において、スロットマシンを使用する場合の配当率は、本来の設置先であるパチンコ店とは異なった配当率でなければ顧客の満足を得られず、その為の各種の方法があるが、現状で評価を得ているのは、スロットマシン本来のＣＰＵを別のＣＰＵに置き換えしてプログラムの一部の変更をするという方法です。しかしながら、この方法は、本来のプログラムの解析及び、それに基づいた若干の変更を行う為に、特殊な技能を有するプログラマーの作業を必要とし、開発コストがかかり、量産しないと経営上の採算が取れないという欠点があり、その他の方法にしても、同様の欠点を有し、１台とか２台とかの少台数の配当率変更の為の開発は、事実上不可能であった。
【発明の概要】
【発明が解決しようとする課題】  本発明は、従来のかかる実情に監みてなされたもので開発コストを極端に押さえ、例えば１台のみに適用しても、充分採算が取れるよう、安価な開発費で上記難点を解決したものである。
【課題を解決するための手段】  上記目的を達成する為、本発明は、スロットマシン機１の各種情報、即ちゲーム回数、大当たり回数等の情報をスロットマシン機１に内蔵した集中端子基板２から信号伝達線７を介して信号収集部５に取得し、その収集値が任意に設定した値に達すると信号伝達線８を介して信号発生部６に信号を伝達し、その信号発生部６からスロットマシン本体１のコイン信号受入部３にその信号を信号伝達線９を介して送出して、任意回数無償にてゲームを行えるようにし又、これとは逆に収集値が任意に設定した値に達すると本来の回数よりゲーム回数を減ずる信号を送出して配当率の減少を図るようにする事も出来、本来の配当率を安易に変更出来るものである。
【発明の効果】  上記の構成により、スロットマシン１の集中端子基板２より必要とする情報を信号伝達線７を介して取得し、その情報に基づいてスロットマシン１の配当率を変更出来るのは特別な技術、長大な時間等を必要する事なく実施出来、１台毎の開発費も必要なくきわめて簡単に実施出来、上述した従来の難点を克服し大きな経済性をもたらしアミューズメント機の普及にも役立つ事、請合である。
【図面の簡単な説明】
【図１】  図１  電気的な信号の流れを表す図
【発明を実施するための形態】
本発明を摘要しようとするスロットマシン機１の集中端子基板２から、ゲーム回数、大当たり回数等の電気情報を取り出して配当率可変装置４内に収納した信号収集部５に送出しその回数を計数する。計数値が設定した任意の数字に達すると、信号収集部５から信号発生部６に電気信号を送出し、それに応じて信号発生部６からスロットマシン１のコイン信号受入部３にゲーム任意回数分に対応する無償の電気信号を送出する。これにより、本来の機能にない“おまけ”が付加され、全体的に配当率の増加になる。上記配当率可変装置４内には、信号収集部５とともに信号発生部６が収納されている。
【実施例】  スロットマシン機１の集中端子基板２から、ゲーム回数の電気情報を取り出して信号収集部５に送出しその回数を計数する。計数値が設定した任意の数字例えば１００に達すると、信号収集部５から信号発生部６に電気信号を送出し、それに応じて信号発生部６からスロットマシン１のコイン信号受入部３にゲーム３回数分に対応する無償の電気信号を送出する。これにより、本来の機能にない“おまけ”が付加され、全体的に配当率の増加になる。
上記ゲーム回数の数値１００及びケーム回数分の数字はこれに限定されるものではなく、勿論任意の数値を選択出来るものである。
【産業上の利用可能性】  アミューズメント業界（風俗営業法第８号営業指定）に於けるスロットマシン機の売上貢献度は高く、機械のコストを低く出来る事により利益の確保が図れ、全国２万軒内外の店舗で採用される事は、充分見通せる事であり、業界に多大なる貢献をするものと思われる。
【符号の説明】      １．スロットマシン
２．集中端子基板
３．コイン信号受入部
４．配当率可変装置
５．信号収集部
６．信号発生分
７．信号伝達線
８．信号伝達線
９．信号伝達線
【図１】
2010274075.tif 000003
(57)【要約】      （修正有）【課題】従来の面板の取り付け方法は、接着または粘着が一般的な方法である。接着、または粘着された面板の取り外し作業は困難で、面板の再利用が可能な場合が多いにもかかわらず、やむなく面板を破壊しながら行わなければならない。上述のごとく、面板の取り付け方法に問題を抱えている。【解決手段】磁石による吸着機能を備えた面板を用いることで解決を図る。【選択図】図−１
2010274642.tif 000002
【特許請求の範囲】
【請求項１】
磁石による吸着機能を備え持つ事を特徴とする面板
【発明の詳細な説明】
【発明の詳細な説明】
【産業上の利用分野】
【０００１】  本発明は例えば、段ボール、板紙又は樹脂フィルムの折れ線溝を成型加工する工程において利用する型（面板と称するのが一般的である：以降面板と呼ぶ）の取り付け方法に関するものである。
【背景技術】
【０００２】  従来の面板の取り付け方法は、接着または粘着が一般的な方法である。【０００３】  面板の取り外しは、接着または粘着部位を剥がす工程で、やむなく面板を破壊しながら行わなければならないのが実情である。【０００４】  上記から現状は、面板の取り外し作業は困難で、且つ、面板の再利用が可能な場合が多いにもかかわらず、破壊しなければならない。
以上のことから、面板の取り付け方法に問題を抱えている。
【発明が解決しようとする課題】
【０００５】  上記両説明でも明らかなように、上記公知の取り外し工程での問題を解決することにある。
【０００６】  本発明は、上記の問題点を解決するためになされたもので、すなわち取り外しが容易な取り付け機能を備えた面板を提供することが目的である。
【課題を解決するための手段】
【０００７】  上記課題を解決するために、本発明は取り付け方法を、磁石の吸着力を用いて行うことを特徴とする。
【０００８】  面板材料に永久磁石の吸着力を付加させた材料を用いる。
【０００９】  面板材料へ付加した永久磁石の吸着力は着磁、脱磁が可能なことが好ましい。
【作用】
【００１０】  磁石の吸着力を利用した取り付け方法を用いることにより、比較的容易に剥がしが可能となる。
【００１１】  取り剥がしが比較的容易に可能となることから、面板を破壊せずに取り剥がすことが可能となる。
【００１２】  剥がした面板は吸着力を利用して再度取り付けが可能となる。
【発明の効果】
【００１３】  面板の取り外しが比較的容易になり作業性が向上する。
【００１４】  面板を破壊することなく取り外しが可能となることから、面板の再利用が可能となり、型として利用する面板製作において、加工工数が省略でき、また材料の削減が可能となる。
【実施例】
【００１５】  本発明による取り付け方法を備えた面板の具体的実施例を、図を参照しながら説明する。【００１６】  図１は面板を面板台に吸着させた状態を示している。
当状態で吸着面におおよそ垂直方向に吸着力を超える力を加えることにより面板を剥がす事が可能になる。
【図−１】
2010274642.tif 000003
【手続補正書】
【提出日】平成21年7月21日(2009.7.21)
【手続補正２】
【補正対象書類名】明細書
【補正対象項目名】全文
【補正方法】変更
【補正の内容】
【発明の詳細な説明】
【産業上の利用分野】
【０００１】  本発明は例えば、段ボール、板紙又は樹脂フィルムの折れ線溝を成型加工する工程において利用する型（面板と称するのが一般的である：以降面板と呼ぶ）の取り付け方法に関するものである。
【背景技術】
【０００２】  従来の面板の取り付け方法は、接着または粘着が一般的な方法である。【０００３】  面板の取り外しは、接着または粘着部位を剥がす工程で、やむなく面板を破壊しながら行わなければならないのが実情である。【０００４】  上記から現状は、面板の取り外し作業は困難で、且つ、面板の再利用が可能な場合が多いにもかかわらず、破壊しなければならない。
以上のことから、面板の取り付け方法に問題を抱えている。
【発明が解決しようとする課題】
【０００５】  上記両説明でも明らかなように、上記公知の取り外し工程での問題を解決することにある。
【０００６】  本発明は、上記の問題点を解決するためになされたもので、すなわち取り外しが容易な取り付け機能を備えた面板を提供することが目的である。
【課題を解決するための手段】
【０００７】  上記課題を解決するために、本発明は取り付け方法を、磁石の吸着力を用いて行うことを特徴とする。
【０００８】  面板材料に永久磁石の吸着力を付加させた材料を用いる。
【０００９】  面板材料へ付加した永久磁石の吸着力は着磁、脱磁が可能なことが好ましい。
【作用】
【００１０】  磁石の吸着力を利用した取り付け方法を用いることにより、比較的容易に剥がしが可能となる。
【００１１】  取り剥がしが比較的容易に可能となることから、面板を破壊せずに取り剥がすことが可能となる。
【００１２】  剥がした面板は吸着力を利用して再度取り付けが可能となる。
【発明の効果】
【００１３】  面板の取り外しが比較的容易になり作業性が向上する。
【００１４】  面板を破壊することなく取り外しが可能となることから、面板の再利用が可能となり、型として利用する面板製作において、加工工数が省略でき、また材料の削減が可能となる。
【実施例】
【００１５】  本発明による取り付け方法を備えた面板の具体的実施例を、図を参照しながら説明する。【００１６】  図１は面板を面板台に吸着させた状態を示している。
当状態で吸着面におおよそ垂直方向に吸着力を超える力を加えることにより面板を剥がす事が可能になる。
【図面の簡単な説明】
【００１７】
【図−１】罫線（折れ線とも呼ぶ）溝▲４▼を加工した、マグネット面板▲１▼が吸着面▲２▼に接面する面板台▲３▼に、マグネットの吸着力で固定保持されている状態を示している。
【符号の説明】
【００１８】▲１▼  面板
▲２▼  吸着面
▲３▼  面板台
▲４▼  罫線溝
【手続補正３】
【補正対象書類名】図面
【補正対象項目名】全図
【補正方法】変更
【補正の内容】
【図−１】
2010274642.tif 000004
(57)【要約】【課題】紙にあうサイズの枠つき土台と、綴具が複数ついた棒により、容易に中綴本を製作できる中綴本製作機を提供する。【解決手段】紙の中央を正確に割り出せるよう、紙を配置する枠付の台（１）と、一度に複数箇所綴じるため棒（２）にホチキス（３）を複数設けた中綴本制作機を特徴とする。【選択図】図１
2010274641.tif 000002
【特許請求の範囲】
【請求項１】
紙面を固定する枠と、紙面中央の複数箇所を一度で綴じるための綴具（ホチキス等）。
【発明の詳細な説明】
【技術分野】
【０００１】この発明は、１０枚〜２０枚程（紙の厚さにもよるので、あくまでも目安）の紙の中央をホチキス等で綴じ、半分に折ることで完成する中綴本を製作するための中綴本製作機である。
【背景技術】
【０００２】従来の中綴の為の道具は、片手で扱えるようなホチキスの柄の部分が長く、紙の中央を１箇所だけ綴じることができた。
【発明が解決しようとする課題】
【０００３】これは、次のような欠点があった。
従来のホチキスでは、中央を綴じるためのガイドはあったが、紙の端と平行に綴じることが難しかった。
また、中綴本は最低２箇所綴じる必要があるにもかかわらず、従来の道具に複数箇所を一度に綴じることができない。
そして人の手で１箇所づつ綴じると、綴じる場所が天や地に寄ってしまったりと、均等な場所にすることが困難。
大型の印刷機などは中綴機能をもつものもあるが、Ａ列４番サイズの紙を中綴じにする（完成サイズはＡ列５番）機能がついているものはあまりなく、そもそも業務用の機能であり、一般家庭で購入・設置できるものではなかった。
【課題を解決するための手段】
【０００４】紙の中央を正確に割り出せるよう、紙を配置する枠付の台（１）と、一度に複数箇所綴じるため棒（２）にホチキス（３）を複数設ける。
本発明は、以上の構成よりなる中綴本制作機である。
【発明の効果】
【０００５】製作する大きさに設定した枠付の台（１）に紙を配置し、枠に棒（２）をあてがい一度押すだけで、紙の中央を複数箇所綴じることができる。
紙の端と平行に綴じることができ、また予め綴具の配置をあわせておくことで、天や地にかたよることがない。
【発明を実施するための最良の形態】
【０００６】以下、本発明を実施するための最良の形態について説明する。
製作したい中綴本の紙にあう枠付の台（１）である。
枠付の台（１）には紙の中央がわかるよう枠に隙間がある。
ホチキス（３）等の綴具が複数設置された棒（２）。
この枠付の台（１）の枠の隙間に棒（２）をあてがい、綴具がホチキス（３）の場合は一度押下することにより中綴本が完成する。
枠や隙間は、いろいろな紙のサイズに合わせられるよう、可動式のものが望ましい。
【図面の簡単な説明】
【０００７】
【図１】本発明、使用中の斜視図である。
【図２】本発明、棒の斜視図である。
【図３】本発明、枠付の台の斜視図である。
【符号の説明】
【０００８】１  枠付の台
２  棒
３  ホチキス
４  ホチキスを受けるところ
【図１】
2010274641.tif 000003
【図２】
2010274641.tif 000004
【図３】
2010274641.tif 000005
(57)【要約】【課題】液体を収納する柔軟性合成樹脂袋から硬質樹脂容器への詰め替えが不要になるような直立可能な台座付ポンプディスペンサーとそのポンプディスペンサーに符号するキャップ付の柔軟性合成樹脂の液体収納容器を提供する。【解決手段】柔軟性合成樹脂の液体収納袋に直立可能にするスカート状の吸い込み具10が装備されたポンプディスペンサーをキャップで符号させたことを特徴とする。【選択図】図2
2010274942.tif 000002
【特許請求の範囲】
【請求項１】
シャンプーや洗剤などの液体を収納すると共に上部にこれらの液体の放出口部を形成した柔軟性の合成樹脂袋体と前記放出口部に挿入してその液体を密封する栓部と、この栓部に貫通して上下動によって、収納された液体を汲み上げると共に上端より放出する吸水パイプとで成した放出器具としかも吸水パイプの下端には前記合成樹脂袋の底部に着座して
柔軟性合成樹脂袋を直立させる転倒防止用台座を備えたことを特徴とする液体収納容器。
【請求項２】
転倒防止用台座はスカート状に形成され、且つスカート面には多数の液体吸水口を形成したことを特徴とした請求項1記載の液体収納容器。
【請求項３】
吸水パイプの栓部の内周と袋の放出口部の外周とにそれぞれネジを形成して、前記栓部を放出口部に着脱自在にネジ込んだことを特徴とした請求項1記載の液体収納容器。
【発明の詳細な説明】
【技術分野】
【０００１】
この発明は直立可能な台座付ポンプディスペンサーとそのポンプディスペンサーに符合するキャップを備えた柔軟性合成樹脂の液体収納袋に関するものである。
【背景技術】
【０００２】
従来の柔軟性合成樹脂の液体収納袋は直接ポンプディスペンサーがとりつけられなかった。又、従来のポンプディスペンサーも直立不可能なため、柔軟性合成樹脂の収納袋では使用できなかった。
【先行技術文献】
【特許文献】
【０００３】
【特許文献１】なし
【発明の開示】
【発明が解決しようとする課題】
【０００４】
これは次のような欠点があった。
・  収納された液体をポンプディスペンサーを使って汲み上げ、放出して使用する時、硬質の合成樹脂でできた容器に詰め替える必要があった。この時たいへんな手間が生じ、中身の液体もこぼれやすかった。
・  収納された液体に粘性がある場合、袋内に多量の使い残しが生じていた。
本発明はこれらの欠点を除く為になされたものである
【課題を解決するための手段】
【０００５】
図1は本発明液体収納容器の斜視図を示し、液体を収納すると共に、上部に液体を放出する放出口部2を形成した柔軟性合成樹脂袋体1と更に収納された液体を上端より放出する放出器具3とで成している。具体的にはこの放出器具3は図２に示す如く袋体の放出口部2に挿入して収納された液体を密封する栓部4とこの栓部4に貫通して上下動して収納された液体をくみあげる上部吸水パイプ5とそれに連結されたスリーブ6と又そのスリーブ6に連結された下部吸水パイプ10とによりなっている。
本発明は以上のような構成よりなる直立可能な台座付ポンプディスペンサーとそれに  符号するキャップを備えた柔軟性合成樹脂の液体収納袋である。
【発明の効果】
【０００６】
ポンプディスペンサー付の柔軟性合成樹脂袋が自立するので、ボトルへの詰め替えが不要になった。このため、詰め替え時に生じていた手間、こぼれが解消される。又詰め替え不要なので、粘性の液体も使い残しがなくなり、経済的で環境保全にも役立っている。
【発明を実施するための最良の形態】
【０００７】
以下本発明を実施するための最良の形態について説明する。
図1は液体収納容器を示す斜視図であって液体を収納する柔軟性合成樹脂で形成された袋体1と更に液体放出口2に放出器具3を装備している。具体的には図2に示す如く、液体放出器具3は袋体1にねじこまれるキャップ4とこのキャップ4と一体し結合されたスリーブ6とでなしている。このスリーブ6の底部はV字状の受座7に形成され且つ中央小孔8にボール9が着座し、且つ中央小孔8には前記袋体1に周納された液体を吸い上げる下部吸水パイプ10が連結されている。又図3に示す如く下部吸水パイプ10の下端にはスカート状の吸い込み具11が設けられており、その表面には収納されている液体を吸い込むスリット14を多数設けている。而して袋体1が柔軟性で直立状態が不安定なため上記のスカート状吸い込み具11が着座して補完する。更に図2においてボール9の上部にはコイルバネ12が位置しており、放出器具3に内蔵されている上部吸水パイプ5の下端に設けられたパッキン13を取り付けて前記コイルバネ12にて常に上方向に弾圧されている。又放出器具3の上端は上部放出パイプ5に連なるノズル15を設けている。図4は他の実施例を示す断面図であって袋体1に放出口2を形成することなく、袋体の開口部1aに直接スリーブ6を挿入し、クリップKにて締め付けている。
次に本発明の液体収納容器の使用順序を説明する。まず放出器具3を矢印方向Aに押し下げると、上部放出パイプ5及びパッキン13が下降する。するとボール9が中央小孔8に圧接して空気がノズル15から矢印方向Dに放出される。次に放出器具3の押圧を開放すれば矢印Bにコイルバネ12にて復帰し、その数度の繰り返しによって、収納された液体はC方向に吸い上げられ、ノズル15から放出される。
【図面の簡単な説明】
【０００８】
【図１】本発明の斜視図
【図２】同上の断面図
【図３】吸い込みスリットの斜視図
【図４】異なる実施例を示す部分断面図
【符号の説明】
【０００９】
1  柔軟性合成樹脂でできた袋体
2  液体放出口
3  液体放出器具
4  液体を密封する栓部（キャップ）
5  上部吸水パイプ
6  スリーブ
7  V字状受座
8  中央小孔
9  ボール
10  下部吸水パイプ
11  スカート状吸い込み具
12  コイルバネ
13  パッキン
14  吸い込みスリット
15  ノズル
【図１】
2010274942.tif 000003
【図２】
2010274942.tif 000004
【図３】
2010274942.tif 000005
【図４】
2010274942.tif 000006
(57)【要約】 【課題】ジャッキアップした自動車、トラクタ等からのタイヤの取り外し、又は取り付けを行う際に使用する補助工具に関して、簡単な軽作業にて行うことができる補助工具を提供する。【解決手段】コ字形の支持台Aの基礎下面に車輪２を装着し、支持台Aの上部部分にタイヤ支持台Bを設置させる。  支持台Aとタイヤ支持台Bは、平行リンク7により接合されており、レバー８を操作することにより、平行リンク7により接合されたタイヤ支持台が、上に平行に昇降することによりタイヤの取り外し、取り付けを行う。  タイヤ支持台には、２本のローラー３とローラー６を備え、又タイヤの倒れ防止用としてガイド５を設けてある。重量のあるタイヤを本補助工具に載せて、平面的な移動、タイヤの回転、高さ調整が容易に行える機能を備えたタイヤ交換補助工具とする。【選択図】    図１
2010274765.tif 000002
【特許請求の範囲】
【請求項１】
コ字形の支持台の基礎下面に車輪を装着し、その上面にタイヤ支持台を載せ、タイヤ支持台には、ローラー機構及びタイヤ倒れ防止機構を装着し、タイヤ支持台は平行リンクによりレバーと連結し、レバー操作により上下動ができ、且レバー固定ボルトにより、上下動を固定するようになることを特徴としたタイヤ交換用補助工具。
【発明の詳細な説明】
【技術分野】
【０００１】
本発明は、ジャッキアップした自動車のタイヤの取り外し又は取付けのために適用されるタイヤ交換補助工具に関する。
【背景技術】
【０００２】
従来、タイヤを手で持ち上げて交換を行っていた。
【発明の概要】
【発明が解決しようとする課題】
【０００３】
従来の人手によるタイヤ交換では、タイヤの取付けの場合、タイヤホイールの穴を合わせる作業において、重量のあるタイヤを中腰にて持ち上げるため、作業姿勢の不適切により肉体的苦痛を伴う作業になる問題を抱えていた。
【０００４】
本発明では、前記の状況を考慮し肉体的苦痛を伴わずに、簡単に操作でき、小型で軽量な構造としたタイヤ交換補助工具を提供することを目的としている。
【課題を解決するための手段】
【０００５】
本発明のタイヤ交換補助工具は、コ字形の支持台の基礎下面に車輪を装着し、その上面にタイヤ支持台を載せ、タイヤ支持台には、ローラー機構及びタイヤ倒れ防止機構装着し、タイヤ支持台は平行リンクによりレバーと連結し、レバー操作により上下動ができ且、固定ボルトにより上下動を固定するようになることを特徴とするものである。
【発明の効果】
【０００６】
本発明は、以上に説明したように平面の移動、タイヤの回転、昇降機能及びタイヤ倒れ防止機能を備えているので、以下に記載するような効果がある。
【０００７】
タイヤの取り外しの時、車体をジャッキアップした後に本補助工具をタイヤの下に挿入する。この時、片方が開放された構造となっている為、車体は比較的に低いジャッキアップで済み、かつ支持台の下面に取付けた、キャスターによりタイヤの下に挿入しやすく本補助工具の位置決めが容易に行える。
【０００８】
タイヤの下に挿入後は、タイヤが2本のローラーに軽くのる程度に、本補助工具のレバーを調整し持ち上げ、ボルト穴が接触しない高さにしたままでキャスターを利用して、本補助工具を車体の外側に移動することができるため、従来に比較して少ない労力にてタイヤを取り外すことができる。
【０００９】
次に、タイヤの取付けの場合は、本補助工具のローラーの上にタイヤを載せ、取り付けを行うホイールにキャスターを利用して移動させ、ローラー上でのタイヤの回転、レバー操作による高さ調整が行えるため、少ない労力でタイヤの取り付け作業ができる。
【００１０】
上記のように本発明の補助工具を使用することにより、タイヤをローラーの上に載せて平面移動、タイヤの回転、さらにレバー操作による高さ調整を一体として備えたことにより、比較的少ない労力でタイヤ交換を行うことができる。
【００１１】
この結果、定期的なタイヤ交換あるいは、積雪地における季節毎のタイヤ交換等において、従来経験してきた身体的な苦痛の軽減が可能となる。
【図面の簡単な説明】
【００１２】
【図１】本発明のタイヤ交換補助工具を示す一部切欠した斜視図である。
【図２】本発明のタイヤ交換補助工具の、タイヤ載せた時の状態の図である。
【図３】本発明のタイヤ交換補助工具の、タイヤをレバーにより、持ち上げた時の状態の図である。
【発明を実施するための形態】
【００１３】
発明の実施の形態を図１乃至図３により詳細に説明する。本発明のタイヤ交換補助工具は、図１に示す例では、コ字形の支持台Aの下面に車輪２を装着し、上面にタイヤの回転を行えるようローラー３，６及びタイヤの倒れ防止用としてカバー５を装着したタイヤ支持台Bを載せ、平行リンク７により連結されることにより、上下動を行えるレバー８と高さ固定用ボルト９から構成されたものである。
【００１４】
前記の支持台Aは、金属材１,１２を溶接により組立て、コ字形の構造物として下面に車輪をボルトにて装着できるようにしたものを支持台Aとする。
【００１５】
前記のタイヤ支持台Bは、金属材４,１０,５,１１を溶接により組立て、ローラーを３本配置し、タイヤを載せて回転できるようにしたものをタイヤ台とする。
【００１６】
前記の平行リンク7は、支持台Aとタイヤ支持台Bと連結させ、レバー８により上下動ができるように繋ぐ。
【００１７】
以上の各機構を組み立てることによりレバー８の操作により、平行リンクに生じた上下動がタイヤ支持台を昇降させることになり、タイヤを持ち上げる。
さらに、車輪を利用しての平面的な移動及びローラー上でのタイヤの回転の機能を備えることにより、タイヤの交換を容易にする。
【実施例】
【００１８】
以下タイヤ交換の手順を説明する。図２、図３はタイヤ取り付けの際の手順図である。タイヤ取り外しの場合は、車体をジャッキアップし、タイヤの下に本補助工具を挿入後に、ボルトにホイールが接触しない程度にレバーにより、タイヤ支持台を持ち上げてタイヤを２本のローラーの上に載せ、キャスターを利用してレバーにて車体外側に引き出すことによりタイヤの取り外しができる。
【００１９】
次に、タイヤの取付けの場合は、本補助工具のローラー部分にタイヤを載せ（図２参照）取付けを行うホイールに移動し、レバーにてホイール穴と合うようにレバーにて高さ、ローラーにて穴位置を合わせ、キャスターを利用して前進させ、タイヤをホイール穴に取付ける（図３参照）、その際持ち上げたままの姿勢が困難な場合は、固定ボルトを利用するとレバーを手から離しても、固定されたままの状態のため作業負荷が軽減される。
【符号の説明】
【００２０】
A  支持台
B  タイヤ支持台
１  支持台主骨格
２  キャスター
３  ローラー
４  タイヤ支持台主骨格
５  タイヤ支持台カバー
６  ローラー
７  平行リンク
８  レバー
９  レバー固定ボルト
１０  タイヤ支持台骨格
１１  タイヤ支持台リンク取り付け
１２  支持台リンク取り付け
【図１】
2010274765.tif 000003
【図２】
2010274765.tif 000004
【図３】
2010274765.tif 000005
(57)【要約】【課題】  犬の散歩中に、引きずられや飛びつきなど、その他のとっさの動作をしても大丈夫なように補助的に犬を操れる人にもリードを持ってもらい犬を操作してもらうため、２人で持てるリード（２人用）および、１人使用時に人ごみや他の犬の近くなどでは、リードを短く持って犬を自分に引き寄せ犬の動作の制限を容易にすることのできるリード（１人用）、これらの用途に合わせ１本のリードで、簡単および即座に２人用・１人用として使用できる切り替え可能なペット用リードを提供する。【解決手段】  １本からなるリード本体の途中の部分より、本体リードよりも短いリードを分岐させ、させた部分を接合し、簡単および即座に着脱可能なように、形成し１人用、２人用として切り替えできる事を特徴とするペット用リードである。【選択図】図１
2010154837.tif 000002
【特許請求の範囲】
【請求項１】
１本からなるリード本体の途中の部分より、本体リードよりも短いリードを分岐させ、させた部分を接合し、簡単および即座に着脱可能なように、形成したことを特徴とする２人でも使用できる２人用ペット用リード。
【請求項２】
着脱部分を本体に蜜着されている場合は、本体リード途中にループ（図２−３）が設けたリードの形になる特徴を持つ１人用ペット用リード。
【請求項３】
１人または、２人使用の目的に応じての使い分けが簡単および即座に切り替えできることを特徴とするペット用リード。
【発明の詳細な説明】
【技術分野】
【０００１】  本発明は、犬の散歩時に使用する。小型犬から大型犬までに利用できるペット用リードに関するものである。
【背景技術】
【０００２】  犬の散歩時には、通常１頭に１本のペット用リードを用いているが、力の強い犬や飛びつきやその他とっさの予測不能な動作をした場合に、犬よりも力の弱い者がリードを持っていた場合には、犬に引きずられたりし危険を伴う場合も生じている。【０００３】  また、犬の散歩時に人ごみや、他の犬の近くを通行する場合に自分の犬を自分に引き寄せるためにリードを短く持って犬の動作を制限している。【０００４】  その持ち方として、リード途中部（犬を引き寄せたい距離）をひと結びしてこぶをつけている。又は、リードが滑らない程度の力で握っている。
１方の手でリード端のループを持ち、もう１方の手で結びこぶの手前（犬側）を握りリードを短く持ったときに手が滑らないように滑り留めとしている。【０００５】  他の持ち方としては、１方の手でリード端のループを持ち、もう１方は手の平に（犬を引き寄せたい位置）リードを１〜２巻き巻いてリードが滑らないように、安定させた持ち方で犬の動作を制限している。
【発明の開示】
【発明が解決しようとする課題】
【０００６】  従来、犬の散歩は１頭を１人で行っていた。
家族で犬の散歩をしていると、どうしても子供がリードを持って散歩をしたがる場合が多い。
また、子供が２人もいれば、２人ともリードを持ちたくて揉めてしまうときもある。
その様なときに、犬の大きさや力の強さを考え、親（又は責任者）として、子供に持たせても安全にリードを持てるかの判断が必要である。
このような時の為に、２人でリードを持って犬の散歩ができる２人用のペット用リードを提案することを目的とする。【０００７】  力の強い犬や、犬のとっさの予測不能な動作をすると思われる中・大型犬の散歩については、子供と大人（又は犬を操れる人）とが２人でリードを持ち犬の散歩を安全に行うことを目的とする。【０００８】  小型犬など力の弱い犬の散歩時などは、子供２人で仲良く散歩ができることを目的とする。【０００９】  １頭を１人で散歩をしている場合に、犬を自分に引き寄せたいとき、リードの途中を握ったり、手の平にリードを巻いたりしている行為を容易にできるリード、つまりリード途中に持ちやすくするためのループができるペット用リードを提供することを目的とする。【００１０】  これらの用途に合わせた持ち方を、１本のリードで簡単および即座に適応できるペット用リードの提供を目的とする。
【発明の効果】
【００１１】  本発明は、従来の１本で形成されているペット用リードとは異なり（図１−１）の部分より短いリードが分岐されており、着脱可能に形成されている。
着脱についても簡単及び即座にでき、着のときは１人用として、脱のときは２人用として使用できる。
そのため、１本で２通りの使い分けができ大変に便利である。【００１２】    本発明は、２人でリードを持つことにより、犬よりも力の弱い者がリードを１人で持っているときに比べ、犬による引きずられや、とっさの動作などについての危険な行為を事前に防ぐことができ安全に犬の散歩ができる。【００１３】    本発明は、犬の大きさや力の強さを考慮することによって、子供２人でも、リードを持って犬の散歩を仲良く行うことができる。【００１４】  １人用（図２）として、短いリード（図１−２）を長いリードに密着させたときに（図２）のように１本のリード途中にループ（図２−３）ができる。
これは、１頭を１人で散歩しているときに犬を自分に引き寄せ犬の行動範囲を狭めたい時や躾をするときに使用する。
使い方としては、ループ（図２−３）を持つだけである。
ループになっているので、従来のようにリードを手の平に巻いたり、リード途中を握り、力を入れる必要もなく滑らずにリードを楽に短く持つことができ非常に便利である。
【発明を実施するための最良の形態】
【００１５】  本発明を添付図（図１）（図２）をもとに詳細に説明する。
図１は、本発明に係るペット用リードを示し、１の部分を分岐させ、２人使用時の状態を示した斜視図である。
図２は、本発明に係るペット用リードを示し１の部分より２・３の部分（波線部）を密着し、１人使用時の状態を示した斜視図である。【００１６】  本発明によるペット用リード（図１）は、長いリードと短いリードの２本が（図１−１）の部分で分岐されている。
長いリード本体は、今現在一般的に使用されているリードで１３０ｃｍ前後が好ましい。
また、短いリードに関しては、犬を引き寄せておきたい長さ又は、２人がリードを持って１列になったときに重ならない長さが好ましいが両方とも特に限定はしない。【００１７】  本発明におけるペット用リード全体及び着脱方法はもとより、材質、材質の形状、厚さ、長さ、色、模様等のデザイン及び製造方法は、とくに限定されない。【００１８】  着脱方法は限定されないが、（図１−２）が長いリードに密着される場合は（図１−３）のループを伸ばした状態で密着できる方が好ましい。
密着している場合は（図２）のように、１本のリードとして使用できる。
密着部分が犬に引っ掛かったりすることなく、いま、現在一般的に使用されている１本のリードと同じように使用できる。
【図面の簡単な説明】
【００１９】
【図１】  本発明の使用状態を示した斜視図である。
【図２】  本発明の使用状態を示した斜視図である。
【符号の説明】
【００２０】図１  ペット用リード
図２  ペット用リード
１  分岐部
２  着脱部のリード
３  着脱部のリードのループ部
４  本体リードのループ部
５  留め具
６  リード本体
７  着脱部分（波線部）
【図１】
2010154837.tif 000003
【図２】
2010154837.tif 000004
(57)【要約】      （修正有）【課題】従来の水耕栽培の植物の成長促進方法以外の方法及び装置によって、水耕植物の成長促進および発芽率向上のための水耕栽培成長促進機構を提供する。【解決手段】水耕栽培の植物を育てる容器の下に、振動装置を設けることにより、栽培植物に一定の頻度による振動を与えると共に、振動装置の発熱による水耕液の温度上昇を図る。【選択図】図１
2010154838.tif 000002
【特許請求の範囲】
【請求項１】
水耕栽培の植物を育てる容器の下に、振動装置を設けたことを特徴とする、水耕栽培成長促進機。
【発明の詳細な説明】
【技術分野】
【０００１】  本発明は、植物に振動をあたえることによって、成長を促進させる装置に、関するものである。
【背景技術】
【０００２】  従来、水耕栽培の植物の成長を促進させる方法としては、適度な水による養分の補給、日照時間や温度の調整、音楽を聞かせるなどがあった。
【発明の開示】
【発明が解決しようとする課題】
【０００３】  従来の水耕栽培の植物の成長促進方法以外にも、何か成長させる方法はないか？
という課題があった。
本発明は、以上の問題点を解決するためになされたものである。
【課題を解決するための手段】
【０００４】  水耕栽培の植物を育てる容器の下に、振動装置を設けたことを特徴とする、水耕栽培成長促進機。
【発明の効果】
【０００５】  水耕栽培の植物を普通に育てた場合と比べて最大で、成長速度が２倍近くまで速くなるようになった。また種子の発芽確率も、１０％〜８０％ぐらい良くなる。
これの原因は、振動と熱である。振動装置の振動によって、植物内の導管に流れる水が速くなり、また、振動装置の発熱により水が少し温まり、これによって成長が促進される。
【発明を実施するための最良の形態】
【０００６】以下、本発明の実施の形態を説明する。
（イ）水耕栽培の植物を育てる容器（１）の下面に、振動装置（２）を設ける。
（ロ）水耕栽培の植物を育てる容器（１）の四隅に、容器が倒れないように足（３）を設ける。
（ハ）振動装置（２）の振動数は、５０〜６０回／秒である。
（ニ）振動装置（２）の消費電力は、１．２Ｗ〜２．５Ｗである。
本発明は以上のような構造である。
本発明の使用方法は、水耕栽培の植物を育てる容器（１）の中に、水耕栽培の植物と水を入れる。それから振動装置（２）の電源を入れる。振動装置（２）は２４時間稼働させ、水耕栽培の植物が、最後まで成長するまで連続稼働させる。
【図面の簡単な説明】
【０００７】
【図１】本発明の斜視図
【図２】本発明の側面図
【図３】本発明の上面図
【符号の説明】
【０００８】（１）植物を育てる容器
（２）振動装置
（３）足
【図１】
2010154838.tif 000003
【図２】
2010154838.tif 000004
【図３】
2010154838.tif 000005